(57)【要約】【課題】電磁ノイズの外部輻射を抑止することができること、よりコンパクトであること、コイルへの通電端子の設置が簡易であること。【解決手段】レンズ駆動装置１は、レンズ枠部材２と枠部材３と駆動手段４と、導電性部材からなり前記枠部材を支持する支持面を備えるベース部材６とを備える。ベース部材６は、駆動手段４に通電する端子１２を支持面６Ｓ側からベース部材６の外側に引き出す端子引出部６１を備え、端子引出部６１には絶縁性部材１３を介して端子１２が取り付けられ、ベース部材６上には、駆動手段４と支持面６Ｓ側に突出する端子１２を覆うシールドカバー１４が設けられる。【選択図】図２
2015099281.tif 000002
【特許請求の範囲】
【請求項１】
装着されるレンズの光軸方向に移動自在なレンズ枠部材と、
前記レンズ枠部材を移動自在に保持する枠部材と、
前記レンズ枠部材を光軸方向に駆動させる駆動手段と、
導電性部材からなり前記枠部材を支持する支持面を備えるベース部材とを備え、
前記ベース部材は、前記駆動手段に通電する端子を前記支持面側から当該ベース部材の外側に引き出す端子引出部を備え、
前記端子引出部には絶縁性部材を介して前記端子が取り付けられ、
前記ベース部材上には、前記駆動手段と前記支持面側に突出する前記端子を覆うシールドカバーが設けられることを特徴とするレンズ駆動装置。
【請求項２】
前記端子引出部は、前記端子を保持した前記絶縁性部材が嵌合する嵌合部であることを特徴とする請求項１記載のレンズ駆動装置。
【請求項３】
前記駆動手段は、前記レンズ枠部材に固定されるマグネットと前記枠部材に固定されるコイルを備え、
前記枠部材は絶縁性材料で構成され前記絶縁性部材と一体に形成されることを特徴とする請求項１又は２記載のレンズ駆動装置。
【請求項４】
請求項１〜３のいずれかに記載のレンズ駆動装置を備えたカメラ。
【請求項５】
請求項１〜３のいずれかに記載のレンズ駆動装置を備えた撮像装置。
【請求項６】
請求項１〜３のいずれかに記載のレンズ駆動装置を備えた携帯情報端末。
【発明の詳細な説明】
【技術分野】
【０００１】
本発明は、レンズ駆動装置、このレンズ駆動装置を備えたカメラ，撮像装置，携帯情報端末，電子機器などに関するものである。
【背景技術】
【０００２】
コイルとマグネットを駆動手段として備える電磁駆動式のレンズ駆動装置が知られている（下記特許文献１参照）。このレンズ駆動装置は、中空枠状の固定枠の側面にマグネットを固定し、この固定枠の中にスライド自在に配置されるレンズ枠にコイルを固定しており、固定枠の側面を囲むように保護キャップを設け、固定枠の光軸方向を覆うように防塵板を設けている。そして、レンズ枠に固定されたコイルへの通電は保護キャップの側面に設けた導接端子を介して行っている。
【先行技術文献】
【特許文献】
【０００３】
【特許文献１】実用新案登録第３１２０５９９号公報
【発明の概要】
【発明が解決しようとする課題】
【０００４】
前述した従来のレンズ駆動装置は、保護キャップや防塵板を設けることで、埃や異物の侵入を抑止することを可能にしたものであるが、導接端子が設けられる保護キャップは非導電材料で形成されることから、駆動手段から発せられる電磁ノイズの外部輻射を抑えることができない。レンズ駆動装置は、各種の電子機器に搭載されることから、駆動手段が発生する電磁ノイズを効果的に抑止し且つよりコンパクトな構造であって、コイルへの通電端子が設置し易い構造が求められている。
【０００５】
本発明は、このような問題に対処することを課題の一例とするものである。すなわち、電磁ノイズの外部輻射を抑止することができること、よりコンパクトであること、コイルへの通電端子の設置が簡易なレンズ駆動装置を提供すること、等が本発明の目的である。
【課題を解決するための手段】
【０００６】
このような目的を達成するために、本発明によるレンズ駆動装置は、明細書に記載された幾つかの発明のうち以下の構成を具備するものである。
装着されるレンズの光軸方向に移動自在なレンズ枠部材と、前記レンズ枠部材を移動自在に保持する枠部材と、前記レンズ枠部材を光軸方向に駆動させる駆動手段と、導電性部材からなり前記枠部材を支持する支持面を備えるベース部材とを備え、前記ベース部材は、前記駆動手段に通電する端子を前記支持面側から当該ベース部材の外側に引き出す端子引出部を備え、前記端子引出部には絶縁性部材を介して前記端子が取り付けられ、前記ベース部材上には、前記駆動手段と前記支持面側に突出する前記端子を覆うシールドカバーが設けられることを特徴とするレンズ駆動装置。
【図面の簡単な説明】
【０００７】
【図１】本発明の実施形態に係るレンズ駆動装置を示す断面図である。
【図２】本発明の実施形態に係るレンズ駆動装置の全体構成を示した説明図（斜視図）である。
【図３】本発明の実施形態に係るレンズ駆動装置の全体構成を示した説明図（分解斜視図）である。
【図４】本発明の実施形態に係るレンズ駆動装置の全体構成を示した説明図（断面図）である。
【図５】本発明の実施形態に係るレンズ駆動装置における端子の引出構造を示した説明図である。
【図６】本発明の実施形態に係るレンズ駆動装置の端子引出部の他の構成例を示した説明図である（（ａ）がレンズ駆動装置の全体図であり、（ｂ）が端子が一体になった枠部材の部品図である。）。
【図７】本発明の実施形態に係るレンズ駆動装置の実装状態を示した説明図（斜視図）である。
【図８】本発明の実施形態に係るレンズ駆動装置を備えたカメラ（撮像装置）を示した説明図である。
【図９】本発明の実施形態に係るレンズ駆動装置を備えたカメラ携帯情報端末を示した説明図である。
【発明を実施するための形態】
【０００８】
本発明の実施形態に係るレンズ駆動装置は、レンズ枠部材、枠部材、駆動手段、ベース部材を備えている。ベース部材は、導電性部材からなり枠部材を支持する支持面を備えており、駆動手段に通電する端子を支持面側からベース部材の外側に引き出す端子引出部を備えている。端子引出部には絶縁性部材を介して端子が取り付けられており、ベース部材上には、駆動手段と支持面側に突出する端子を覆うシールドカバーが設けられる。
【０００９】
このようなレンズ駆動装置によると、導電性部材からなるベース部材とシールドカバーによってレンズ駆動装置の外周縁が囲まれているので、電磁ノイズの外部輻射を抑止することができる。また、ベース部材に端子引出部を設けてそこに絶縁性部材を介して端子を取り付けるので、端子の設置が簡易であり、ベース部材の内側に端子が設置されることで、レンズ駆動装置の外周をコンパクトに収めることができる。
【００１０】
以下、図面を参照しながら本発明の実施形態を説明する。以下の図においてＺ軸方向が光軸方向を示し、光軸に垂直な平面（Ｘ−Ｙ平面）内で互いに直交する方向をＸ軸方向とＹ軸方向としている。また、以下の図において、同一部位には共通符号を付して、重複説明を一部省略している。
【００１１】
図１に示すように、レンズ駆動装置１は、レンズ枠部材２、枠部材３、駆動手段４を備える。レンズ枠部材２は、レンズが装着されるレンズ装着口２０を備え、装着されるレンズの光軸Ｏａ方向に移動自在に配備される。枠部材３は、レンズ枠部材２の周囲に配置され、レンズ枠部材２を移動自在に保持する。駆動手段４は、レンズ枠部材２に固定される第１駆動部材４Ａと枠部材３に固定される第２駆動部材４Ｂとを備える。ここでは第１駆動部材４Ａがマグネット４１であり、第２駆動部材４Ｂがコイル４０である。
【００１２】
駆動手段４は、コイル４０の側面４０Ａとマグネット４１の側面４１Ａを設定間隔Ｓｄで対面させており、マグネット４１の磁界内でコイル４０に電流を流すことによって生じる駆動力（ローレンツ力）によりレンズ枠部材２を光軸Ｏａ方向に駆動する。すなわち、コイル４０はＹ軸方向に沿った直線部を有する長円状に巻かれており、コイル４０の巻方向及び直線部の方向とマグネット４１の磁極配置は前述した駆動力が光軸Ｏａに沿った図示Ｚ軸方向に作用するように適宜配備されている。図示の例では、マグネット４１における側面４１Ａと反対側の面にヨーク（磁性体）４２を固定しており、これによってコイル４０を通過するＸ方向に沿った磁界の成分を増やしている。また、レンズ駆動装置１は、レンズ枠部材２の光軸Ｏａ方向の移動を弾性的に規制する弾性規制部材５（５Ａ，５Ｂ）を備え、また枠部材３を支持するベース部材６を備える。
【００１３】
このレンズ駆動装置１は、図２の組み立て斜視図と図３の分解斜視図に示されるように、ベース部材６に対して各部品を積み上げるように組み立てることができる。ベース部材６には、レンズ枠部材２に装着されるレンズ（図示省略）の光軸を略中心とする開口６Ｃが設けられており、この開口６Ｃを通った光がベース部材６の背面側に配置される受光面に入射する。ベース部材６には、その底面６Ａから光軸方向に突出した位置に支持面６Ｓと基準当接面６Ｐが形成されている。支持面６Ｓは、その上に支持する枠部材３の平面形状に応じた形状を有して複数箇所に形成されており、その全ての面が底面６Ａから突出した突端面６Ｂであって同一面（Ｘ−Ｙ平面）上に形成されている。基準当接面６Ｐは、底面６Ａからスポット状に突出した同一平面上の複数の突端面６Ｂによって形成されている。また、ベース部材６の底面６Ａからは開口６Ｃの周囲に複数の回転規制部６０が突出して形成されている。
【００１４】
ベース部材６の開口６Ｃを挟んだ一対の支持面６Ｓには、板状弾性部材５０からなる弾性規制部材５Ｂの外側取付部５０Ａを介して、枠部材３がそれぞれ支持される。ベース部材６の他の支持面６Ｓには、開口部６Ｃを挟んで一対のコイルホルダ３０が支持される。一対の枠部材３と一対のコイルホルダ３０には、それぞれ第２駆動部材４Ｂであるコイル４０が互いに対向するように固定される。枠部材３へのコイル４０の固定は、枠部材３の側面３Ｄから突起する突起部３Ｅをコイル４０のボビン孔４０Ｂに挿入することによって行う。枠部材３は一対の腕部３Ｃを有することで傾きや変形が生じ難い断面形状を有しており、コイル４０とマグネット４１との間隔Ｓｄを一定に保ちながらコイル４０を支持している。
【００１５】
弾性規制部材５Ｂは、左右一対の外側取付部５０Ａと中央の内側取付部５０Ｂとその間を連結する弾性変形部５０Ｃを備えており、外側取付部５０Ａにおける位置決め孔５０Ａ１に支持面６Ｓ上の位置決め突起６Ｄを挿入し、支持面６Ｓ上に外側取付部５０Ａを介して枠部材３の端面３Ｂを載せて固定することで、左右の外側取付部５０Ａがベース部材６の支持面６Ｓに固定される。弾性規制部材５Ｂの内側取付部５０Ｂには、レンズ枠部材２の一方の端部２Ｂが取り付けられる。この際には、取付部材５１が内側取付部５０Ｂを挟んでレンズ枠部材２の端部２Ｂに取り付けられる。
【００１６】
一対の枠部材３の端面３Ａには、板状弾性部材５０からなる弾性規制部材５Ａの一対の外側取付部５０Ａが支持される（この弾性規制部材５Ａも弾性規制部材５Ｂと同様に左右一対の外側取付部５０Ａと中央の内側取付部５０Ｂとその間を連結する弾性変形部５０Ｃを備えている。）。端面３Ａに弾性規制部材５Ａの外側取付部５０Ａを載せて押さえ部材５２で押さえて固定することで、弾性規制部材５Ａの左右の外側取付部５０Ａが一対の枠部材３の端面３Ａに固定される。この際、端面３Ａ上の位置決め突起３Ｆを外側取付部５０Ａの位置決め孔５０Ａ１と押さえ部材５２の位置決め孔５２Ａに挿入する。弾性規制部材５Ａの内側取付部５０Ｂには、レンズ枠部材２の他方の端部２Ａが取り付けられる。この際には、取付部材５３が内側取付部５０Ｂを挟んでレンズ枠部材２の端部２Ａに取り付けられる。
【００１７】
レンズ枠部材２は、その側面２Ｃに突起部２２を備えており、一対の突起部２２間に第１駆動部材４Ａであるマグネット４１が第２駆動部材４Ｂであるコイル４０に対面するように取り付けられている。ここでは、駆動手段４として、レンズ枠部材２の光軸周りに４組のコイル４０とマグネット４１を設けているが、図示Ｙ軸方向に沿って配置される２組のコイル４０とマグネット４１は必要に応じて省略することが可能である。その場合にはコイルホルダ３０を支持する支持面６Ｓを省くことができるのでベース部材６の専有面積の省スペース化が可能になる。
【００１８】
図２は、シールドカバー１４を取り外した状態の組み立て完了状態を示している。ベース部材６には、その外周縁付近に２つの端子引出部６１が設けられており、その端子引出部６１にそれぞれ絶縁性部材１３を介して端子１２（１２Ａ，１２Ｂ）が取り付けられている。複数のコイル４０は連続した導線によって構成されており、その一端が端子１２Ａに接続され、他端が端子１２Ｂに接続されている。
【００１９】
コイル４０に電流が流れていない無通電状態では、レンズ枠部材２は、弾性規制部材５Ａ，５Ｂの弾性変形部５０Ｃによってベース部材６側に押圧（与圧）されており、レンズ枠部材２の基準端面２Ｓがベース部材６の基準当接面６Ｐに当接することで安定した状態を保持している。このような与圧を付与するためには、弾性規制部材５Ｂの外側取付部５０Ａが支持される支持面６Ｓの光軸方向高さに対して弾性規制部材５Ｂの内側取付部５０Ｂが取り付けられるレンズ枠部材２の端部２Ｂの光軸方向高さが高くなるように基準当接面６Ｐの高さが設定されている。この際、基準端面２Ｓと基準当接面６Ｐをレンズの光軸に対して垂直な面に設定しておくことで、弾性規制部材５Ａ，５Ｂは光軸に対して偏った変形を起こすこと無く光軸に対称な弾性力をレンズ枠部材２に付与し続けることができる。
【００２０】
図４は、レンズ枠部材の繰り出し状態を示した説明図（断面図）である。端子１２（１２Ａ，１２Ｂ）に駆動信号が送られコイル４０に電流が流れると、図示のように、弾性規制部材５Ａ，５Ｂによって動きが規制されているレンズ枠部材２は、駆動手段４の駆動力によって光軸方向に沿ってベース部材６から離間するように移動し、駆動手段４の駆動力と弾性規制部材５Ａ，５Ｂの変形によって高められる弾性力が釣り合うところでレンズ枠部材２の位置が保持される。このように、駆動手段４の駆動力を制御することでレンズ枠部材２の光軸方向に沿った位置を任意に調整することが可能になる。
【００２１】
図５は、ベース部材から引き出される端子の引出構造を示している。導電性部材からなり矩形状のベース部材６にはその角部を挟んで２つの端子引出部６１が設けられている。端子引出部６１は、駆動手段４に通電する端子１２（１２Ａ，１２Ｂ）をベース部材６の支持面６Ｓ側から外側に引き出すものであり、ベース部材６の外周縁から凹んだ嵌合部６１Ａによって構成されている。嵌合部６１Ａは、その内面から突出する凸部６１Ａ１を備えており、この凸部６１Ａ１が絶縁性部材１３の側面に設けた凹部１３Ａに嵌まるように絶縁性部材１３を嵌合部６１Ａに嵌合させることで、ベース部材６に端子１２を取り付ける。端子引出部６１から引き出された端子１２（１２Ａ，１２Ｂ）は、支持面６Ｓ側ではカバー取付部６Ｒの内側に端子１２（１２Ａ，１２Ｂ）が突出する。そして、この端子１２（２１Ａ，１２Ｂ）は、ベース部材６の支持面６Ｓとは逆側に絶縁性部材１３を介して引き出される。
【００２２】
図６は、端子引出部の他の構成例を示している（（ａ）がレンズ駆動装置の全体図であり、（ｂ）が端子が一体になった枠部材の部品図である。）。この例では、端子１２をベース部材６から電気的に絶縁する絶縁性部材を絶縁性材料で構成される枠部材３と一体に形成している。枠部材３には前述したように第２駆動部材４Ｂであるコイル４０が固定されるが、このコイル４０が固定される枠部材３の一部に端子絶縁部３Ｇが一体に設けられている。この端子絶縁部３Ｇを含む枠部材３は、金属製の端子１２を型内に入れたインサート成形などで形成することができる。ここでは、一つの端子１２Ａを備えた端子絶縁部３Ｇが枠部材３と一体に形成されており、他方の端子１２Ｂを備えた端子絶縁部３Ｇがコイルホルダ３０と一体に形成されている。このように枠部材３やコイルホイルホルダ３０と端子絶縁部３Ｇとを一体にすることで、端子引出部６１への端子の組み付けをベース部材６への枠部材３やコイルホルダ３０の組み付けと同時に行うことができ、組み立て工程の簡略化が可能になる。
【００２３】
図７は、レンズ駆動装置の実装状態を示している。前述したレンズ駆動装置１は、撮像素子が実装された回路基板１７上に配備され、ベース部材６から引き出された端子１２Ａ，１２Ｂが回路基板の接続端子１７Ａ，１７Ｂに半田などで接続される。そして、ベース部材６の外周縁に設けたカバー取付部６Ｒ上にシールドカバー１４の外周端が載置される。シールドカバー１４は、駆動手段４（第１駆動部材４Ａ，第２駆動部材４Ｂ）や端子１２Ａ，１２Ｂのレンズ枠部材２側（支持面６Ｓ側）を覆うように配置され、その天板部にはレンズ枠部材２のレンズ装着口２０に装着されるレンズバレル２１を露出させる開口１４Ａが形成されている。このようなシールドカバー１４を設けることで駆動手段４から発せられる電磁ノイズの輻射を効果的に抑止することができる。
【００２４】
図８，図９は、レンズ駆動装置を備えた電子機器の例を示している。レンズ駆動装置１は、図８に示すように、集光や結像機能或いは撮像機能を有する光学機器や電子機器、例えば、カメラ１００，撮像装置２００に装着される。また、レンズ駆動装置１は、図９に示すように、集光や結像機能或いは撮像機能を有する携帯情報端末３００（携帯電話，スマートフォン，タブレット型ＰＣ，ノート型ＰＣなど）に装着される。
【００２５】
レンズ駆動装置１を備えた光学機器や電子機器（カメラ１００，撮像装置２００，携帯情報端末３００など）は、レンズ駆動装置１が導電性部材のベース部材６とシールドカバー１４によって外郭が覆われていることで、電磁ノイズの外部輻射を抑止することができるので、その周囲に配置される電子部品を安定して動作させることができる。この際、駆動手段４への通電を行う端子１２を絶縁性部材１３を介してベース部材６から引き出す端子引出構造を採用することで、ベース部材６を導電性部材によって形成することができる。また、端子１２をベース部材６から電気的に絶縁する絶縁性部材をレンズ駆動装置１のコイル４０が固定される枠部材３などと一体に形成することで、端子１２をベース部材６から引き出す工程を枠部材３などの組み付け工程と同時に行うことができ、組み立て作業の簡略化が可能になる。
【００２６】
以上、本発明の実施の形態について図面を参照して詳述してきたが、本発明の具体的な構成はこれらの実施の形態に限られるものではなく、本発明の要旨を逸脱しない範囲の設計の変更等があっても本発明に含まれる。また、上述の各実施の形態は、その目的及び構成等に特に矛盾や問題がない限り、互いの技術を流用して組み合わせることが可能である。
【符号の説明】
【００２７】
１：レンズ駆動装置；
１００：カメラ；２００：撮像装置；３００：携帯情報端末；
２：レンズ枠部材；２Ａ，２Ｂ：端部；２Ｃ：側面；２Ｓ：基準端面；
２０：レンズ装着口；２１：レンズバレル；２２：突起部；
３：枠部材；３Ａ，３Ｂ：端面；３Ｃ：腕部；３Ｄ：側面；
３Ｅ：突起部；３Ｆ：位置決め突起；３Ｇ：端子絶縁部；
３０：コイルホルダ；
４：駆動手段；４Ａ：第１駆動部材；４Ｂ：第２駆動部材；
４０：コイル；４０Ａ：側面；４０Ｂ：ボビン孔；
４１：マグネット；４１Ａ：側面；４２：ヨーク；
１２（１２Ａ，１２Ｂ）：端子；１３：絶縁性部材；
１４：シールドカバー；１４Ａ：開口；
１７：回路基板；１７Ａ，１７Ｂ：接続端子；
５，５Ａ，５Ｂ：弾性規制部材；
５０：板状弾性部材；５０Ａ：外側取付部；５０Ａ１：位置決め孔；
５０Ｂ：内側取付部；５０Ｃ：弾性変形部；
６：ベース部材：６１：端子引出部；６１Ａ：嵌合部
【図１】
2015099281.tif 000003
【図２】
2015099281.tif 000004
【図３】
2015099281.tif 000005
【図４】
2015099281.tif 000006
【図５】
2015099281.tif 000007
【図６】
2015099281.tif 000008
【図７】
2015099281.tif 000009
【図８】
2015099281.tif 000010
【図９】
2015099281.tif 000011